Podtech/llm-jp-corpus-v4-ja_patent huggingface dataset:
(57)【要約】【課題】      シャワーヘッドにかぶせて使用する掃除具を提供する。【解決手段】  シャワーヘッドにかぶせる形状の本体に、ブラシなどの掃除具と、洗浄用たわしなどの掃除具をつけたことを特徴とする風呂掃除具。【選択図】    図  １
2006055584.tif 000002
【特許請求の範囲】
【請求項１】
シャワーヘッド（５）にカバー（１）をつけ、そのカバー（１）にブラシ（２）と洗浄用たわし（３）をつけたことを特徴とする掃除具。
【発明の詳細な説明】
【技術分野】
【０００１】    この発明は、シャワーヘッドに装着して使用する、掃除具に関するものである。
【背景技術】
【０００２】  従来、柄の先にブラシ、又はスポンジのついた風呂掃除具があった。
また、特開２００１−１７３７８号公報に示される掃除具が公知されている。これは、シャワーホースからヘッド部分を取り外し、そのシャワーホースに掃除具を装着させて使用するものである。
【発明の開示】
【発明が解決しようとする課題】
【０００３】  上記の公知例においては、次のような問題点があった。
（イ）シャワーホース全体を取り替える工事が必要である。
（ロ）従来の風呂掃除具に比べると高価である。
（ハ）今まで使用していたシャワーホースが無駄になる。
（ニ）１つのブラシで風呂全体を掃除するので、カビの胞子をバラまくことになる。
【課題を解決するための手段】
【０００４】  シャワーヘッドにカバー（１）をつける。そのカバーにブラシ（２）と洗浄用たわし（３）をつける。以上の構造からなる掃除具。
【発明の効果】
【０００５】  （イ）手持ちのシャワーヘッドにかぶせて使用するので、取り付け工事の必要がない。
（ロ）特開２００１−１７３７８号公報に示される掃除具に比べると、製造コストが安く済むので安価で提供できる。
（ハ）図１における洗浄用たわし（３）に洗剤を染み込ませると、カビなどの汚れを集中してこすることが出来る。また、気になる部分にだけ洗剤をつけて掃除できるので、洗剤は少しの使用量で済む。
（ニ）湯あか汚れはブラシで、カビは洗浄用たわし（３）で、と、分けて掃除が出来るので、カビの胞子が広がらない。
【発明を実施するための最良の形態】
【０００６】  以下、本発明の実施の形態について説明する。
（イ）シャワーヘッド（５）にかぶせる形状の、のびる布素材などで出来た、カバー（１）にブラシ（２）と洗浄用たわし（３）をつけ、かぶせやすいように切れ目（６）を入れる。
（ロ）カバー（１）の根元部分にマジックテープなどの締め具（４）をつけ、カバー（１）とシャワーヘッド（５）をより密着させる。
本発明は以上のような構成で、これを使用するときは、シャワーヘッド（５）にカバー（１）をかぶせ、マジックテープなどの締め具（４）を締める。シャワーから湯を出し、ブラシ（２）で掃除する。この時、洗浄用たわし（３）に洗剤を染み込ませると、気になる部分にだけ洗剤をつけて掃除することが出来、カビも広がらず、洗剤も少量で済む。また、洗浄用たわし（３）の素材を金属たわしのようなものにすると、タイルの風呂場の汚れ落としに有効になる。
【図面の簡単な説明】
【０００７】
【図１】  本発明の斜視図
【図２】  本発明の分解斜視図
【図３】  本発明の使用状態を示す斜視図
【符号の説明】
【０００８】  １    カバー
２    ブラシ
３    洗浄用たわし
４    締め具
５    シャワーヘッド
６    切れ目
【図１】
2006055584.tif 000003
【図２】
2006055584.tif 000004
【図３】
2006055584.tif 000005
(57)【要約】【課題】  使用中の鍋の蓋やお玉を一時的に置くための器具を提供する。【解決手段】  Ｌ字型ないし円弧を成すアーム上に、鍋の蓋立てとお玉置きを設置し、アームの両端点と中間点に脚を設け、鍋の縁を囲むように置くことで、鍋の上に安定的に置くことを可能にした鍋の蓋立て兼お玉置き器具。【選択図】  図４
2006055581.tif 000002
【特許請求の範囲】
【請求項１】
Ｌ字型ないし円弧を成すアーム上に、鍋の蓋立てとお玉置きを設置し、アームの両端点と中間点に数センチ長の脚を設け、三本の脚で、鍋の開口部を囲む形に載せ置くことを特徴とする、鍋の蓋立て兼お玉置き器具。
【発明の詳細な説明】
【技術分野】
【０００１】  この発明は、調理用鍋の上部に置き、鍋の蓋及びお玉を一時的に留め置くための器具に関するものである。
【背景技術】
【０００２】  従来、鍋の蓋立て及びお玉置きは、鍋とは独立して設置する物であった。つまり別途にスタンドや容器を用意したり、吊り具にて壁等に下げるものであった。
【発明の開示】
【発明が解決しようとする課題】
【０００３】  台所等で、鍋にて食材を煮炊きしたり味見する際に、蓋を頻繁に開閉したり、お玉を使用するが、それらの蓋やお玉の一時的な置き場所に困ることがあった。しかし加熱中の鍋の中にお玉を入れたままにすると、お玉が熱せられたり変形したりして不具合であった。【０００４】  また鍋を食卓に運び、料理を鍋から椀等に移す際にも、開けた蓋の置き場や使用した後のお玉の置き場に困ることがあった。つまり蓋を畳みやテーブルの上に裏返しに置こうとすると、腕に熱い鍋の縁が触れ火傷の恐れがあったり、また畳みやテーブルを汚す恐れがあった。【０００５】  またお玉を使用した後は、他の場所に置かない場合、そのまま鍋の中に残すか、閉じた蓋の上に載せるのが一般的であるが、前者は蓋にすき間ができるために内容物が冷めやすく、後者は蓋を開けるつど、お玉をどける必要があり作業性を損なっていた。【０００６】  しかるにこれらの課題に対し、従来の技術は主として簡易の収納の目的に供される器具であるがために次の点で不具合があった。
（イ）鍋とは独立して在るため、設置場所を要し、狭いコンロ周辺では使いにくい。
（ロ）例えば台所と食卓の間を鍋を持って移動する際に、別々に運ばねばならず、手間が増え繁雑である。
【課題を解決するための手段】
【０００７】  本発明は、Ｌ字型ないし円弧を成すアーム上に、鍋の蓋立てとお玉置きを設置し、アームの両端点と中間点に数センチ長の脚を設け、鍋の縁を囲むように置くことで、鍋の上に安定的に置くことを可能にした鍋の蓋立て兼お玉置き器具である。
【発明の効果】
【０００８】  調理時にも配膳時にも、場所を取らず、鍋の蓋立てとお玉置きの便を提供し、蓋の開閉時にも器具を取り外す必要がないため、作業性が著しく改善される。
【発明の実施するための最良の形態】
【０００９】  以下、本発明にかかわる器具の実施の形態を図面に基づいて説明する。図１は本発明の実施例の斜視図であり、図２は図１を矢印Ａ方向から見た側面図である。図１および図２においてアーム１と蓋ホルダー２は一体もしくは固定的に接続されている。アーム１はＬ字型ないし円弧を成し中間点および両端点には脚３が固定的に取り付けられている。蓋ホルダー２の両端は向かい合うように曲げられた爪４となっている。蓋ホルダー２の中程を成すブリッジ５には蓋支え６二本が立っている。その一本にはお玉の柄置き７が設けられ、アーム１もしくは蓋ホルダー２から突き出したジョイント８の先にはお玉受け９が設けられている。またアーム１の中程の角にはハンドル１０が設けられている。
【００１０】  次に本発明にかかわる器具の使用方法を図面に基づいて説明する。図３は鍋の蓋を閉じた状態で器具を取り付けた状態を示す。両手鍋の場合、ハンドル１０を鍋の取っ手の穴部の一つに差し込むと、器具の安定性が増す。お玉を置く場合は、図３のようにお玉の柄置き７に柄を置き、お玉部をお玉受け９に置く。
【００１１】  ここでハンドル１０を鍋の取っ手の穴部にぴったり収めるために、ハンドル１０は弾力性ないし可塑性を備えていることが望ましい。また脚３は鍋を火に掛けることを考慮し、金属等耐熱性を持った材質であることが望ましい。
【００１２】  図４は同じく鍋の蓋を開け、立て掛けた状態を示す。蓋の円周部を二つの爪４に引っかけ、蓋のつまみ側を蓋支え６にもたれさせる。蓋に付いた滴などは鍋の中に戻るため、周囲を汚さず都合がよい。なお構造を分かりやすくするため蓋は透明ガラスで表現している。
【００１３】  図５は本器具を設置したまま蓋を閉じる様子を示す。蓋を斜めに差し込み、蓋の縁でアーム１を押し上げながら滑らすと、容易に閉じることができる。この時、器具全体が垂直方向にずれ上がるが脚３がガイドとなり器具の脱落を防いでいる。また鍋の取っ手穴に差したハンドル１０がストッパーとなり、器具自体が著しくずれることを防ぐ役目を果たしている。
【００１４】  また本器具は三本の脚３を備えているので、図６のように鍋から外して使用することも可能である。
【図面の簡単な説明】
【００１５】
【図１】  本発明の斜視図
【図２】  図１におけるＡ方向から見た本発明の側面図
【図３】  本発明の使用状態で、鍋の蓋を閉じお玉を置いた状態を示す斜視図
【図４】  本発明の使用状態で、鍋の蓋を立て、お玉を置いた状態を示す斜視図
【図５】  本発明の使用状態で、鍋の蓋を閉じようとする状態を示す斜視図
【図６】  本発明の使用状態で、鍋から外して置いた状態を示す斜視図
【符号の説明】
【００１６】  １    アーム
２    蓋ホルダー
３    脚
４    爪
５    ブリッジ
６    蓋支え
７    お玉の柄置き
８    ジョイント
９    お玉受け
１０  ハンドル
【図１】
2006055581.tif 000003
【図２】
2006055581.tif 000004
【図３】
2006055581.tif 000005
【図４】
2006055581.tif 000006
【図５】
2006055581.tif 000007
【図６】
2006055581.tif 000008
(57)【要約】【課題】  人の体は微弱ながら神経細胞内を流れる電流の信号によって各細胞や臓器に命令が伝えられ、生活していくことが出来ている。しかしながら近年ではストレス等による体の変調や環境問題でもある電磁波等により体内を流れる電流に乱れが生じて、様々な疾病を引き起こしている。そこで、薬や手術に全く依存しない自然エネルギーを取り入れた物理療法による電子治療用具を提案するものである。【解決手段】  本発明はマイナス電子を放出しやすいゲルマニウムと軽くて強くて錆びにくくて生体親和性にすぐれており生体電流の乱れを整える力の強いチタンとを組み合わせた電子治療用具を開発することにある。使われるゲルマニウムとしては金属ゲルマニウム、チタンは金属チタンである。使う形状としては粒状、球状、板状、円盤状等がある。使う方法としては指輪、リング、ペンダント、ネックレス等がある。【特許請求の範囲】
【請求項１】
ゲルマニウムを含有する電子治療用具。
【請求項２】
チタンを含有する電子治療用具。
【請求項３】
ゲルマニウム及びチタンを含有する電子治療用具。
【発明の詳細な説明】
【技術分野】
【０００１】  本発明はゲルマニウムとチタンを用いた電子治療用具に関する。
【背景技術】
【０００２】  ２０世紀に急速な発展を遂げた近代医学はめざましい成果を上げ、長寿社会を築きました。しかし反面では、未だ解決に至らない難病も多く存在し、人は難病と隣接した生活を送り続けている。
【発明の開示】
【発明が解決しようとする課題】
【０００３】  人の体は微弱ながら神経細胞内を流れる電流の信号によって各細胞や臓器に命令が伝えられ、生活していくことが出来ている。しかしながら近年ではストレス等による体の変調や環境問題でもある電磁波等により体内を流れる電流に乱れが生じて、様々な疾病を引き起こしている。そこで、薬や手術に全く依存しない自然エネルギーを取り入れた物理療法による電子治療用具を提案するものである。
【発明が解決するための手段】
【０００４】  本発明はマイナス電子を放出しやすいゲルマニウムと軽くて強くて錆びにくくて生体親和性にすぐれており生体電流の乱れを整える力の強いチタンとを組み合わせた電子治療用具を開発することにある。使われるゲルマニウムとしては金属ゲルマニウム、チタンは金属チタンである。使う形状としては粒状、球状、板状、円盤状等がある。使う方法としては指輪、リング、ペンダント、ネックレス等がある。
【発明の効果】
【０００５】  動物の体には生体電流という微弱な電流が流れていますが、その生体電流が乱れることにより、バランスが崩れ、コリや痛み、めまいなどの体の不調として現れる。
【０００６】  ゲルマニウムはそれ自身半導体としての機能を有しており、通常は電気を通さないが、温度が３２℃を越えると電子を自由に出入りさせることが出来る導体になる。
【０００７】  また、チタンは鋼と同じくらいの強度がありながら重さは鉄の６０％ぐらいの重量で、耐食性はステンレスに勝り、錆びにくく、生体親和性に優れていて金属アレルギーも起こしにくいのです。加えて、チタンは生体電流の乱れを整える力が強く、ゲルマニウムの電子の自由な往来により体内の電子バランスを整える力と相乗効果で体を健全化させる。
【発明を実施するための最良の形態】
【０００８】  肌に常時接触させるために、使う形状としてはゲルマニウムを粒状、球状、板状、円盤状等に加工し、チタンはゲルマニウムを埋め込みやすくした加工を施し、使う方法としては指輪、リング、ペンダント、ネックレス等がある。
【実施例】
【０００９】  電子治療用具の効果を確認するために、数人の方にモニターになってもらい、症状の緩和された結果をまとめたものは次のとおりです。尚、使用した電子治療器具はペンダント及びリングを使用しました。【００１０】
【表１】
2006055590.tif 000002
(57)【要約】      （修正有）【課題】長毛種の犬猫等の、フェルト状の毛玉を安全に解きほぐすための道具を提供すること。【解決手段】フック式カッター１の刃先部分２が、犬猫等の皮膚に刺さり傷つける危険をなくすため、刃先３のように、先端に丸みをつけた。【効果】短時間で、犬猫等の皮膚に傷をつけることなく、安全に毛玉を取り除くことができる。【選択図】  図２
2006055583.tif 000002
【特許請求の範囲】
【発明の詳細な説明】
【技術分野】
【０００１】本発明は犬、猫等ペットのフェルト状態になった、毛玉を解くために使用される、物である。
【背景技術】
【０００２】従来は、櫛、ブラシ、ハサミ等の道具しかなく、フックカッタ−の毛玉とりは、なかった。【０００３】
【特許文献１】
【発明の開示】
【発明が解決しようとする課題】
【０００４】長毛種の、犬、猫等のフェルト状になった毛玉を解きほぐすには櫛、ブラシ等で長時間かけてとかすか、またはバリカン、ハサミで切り落とす方法しかなかった、本発明はこれを解決するために、なされたものである。
【課題を解決するための手段】
【０００５】フック式カッタ−１の刃先部分２が、皮膚に刺さり傷つけないよう、刃先３のように、先端に丸みをつけ安全に毛玉を取り除くことができるようにした。
【発明の効果】
【０００６】フェルト状になった、毛玉を皮膚に、傷つけず、犬、猫に苦痛を与えること無く、短時間で解きほぐすことができる。
以下本発明の実施の形態について説明する。
（イ）従来から、同様の形状のフックカッターがあるが、これは紐  ＰＰバンドダンボール  各種シートのカットに使用される物であったが、これは刃の先端が鋭利に尖っており、これを犬  猫等の毛玉とりに使用すると、皮膚に先端が刺さる恐れがあり大変危険である。
（ロ）このフックカッターの刃の先端に丸みをもたせ、これを犬  猫等の毛玉の解きほぐしの道具として使用する。
（ハ）図においては、フック刃を柄の部分に収納式になっているが、刃の先端に丸みをもたせ、皮膚に傷をつけないよう安全に使用できる事が目的であり刃の形状以外の、柄の形状、材質等にこだわるものではない。
【実施例１】
【０００７】
【図面の簡単な説明】
【０００８】
【図１】本発明の正面図である。
【図２】本発明の使用状態を示す断面図である。
【符号の説明】
【０００９】１  フック刃本体
２  刃の先端
３  改良後の刃の先端
【図１】
2006055583.tif 000003
【図２】
2006055583.tif 000004
【手続補正書】
【提出日】平成16年11月2日(2004.11.2)
【手続補正２】
【補正対象書類名】特許請求の範囲
【補正対象項目名】全文
【補正方法】変更
【補正の内容】
【特許請求の範囲】
【請求項１】
図１の２のフック式カッターの刃の先端を図２の３のように丸みをつける。
(57)【要約】 【課題】  扇子、笠に形態を変える場合に係合手段では、素早く変化させることが出来ず、手間取る。又それぞれを携帯すると嵩張り持ち運びに不便である。【解決手段】  接着しろを固着することにより、折畳み線に沿って素早く変形することができ、折り畳んだままの状態では扇子として利用でき、折り畳んだままで後部を少し開いた状態では安定した置物として利用でき、広げた状態では笠として利用する事ができる。また、紐は切り欠け孔部を上下に移動することができ、頭に固定するときも、飾り物として壁に吊り下げても利用できる。以上の様に目的に合った形に変形できことを特徴とする。【選択図】  図１
2006055548.tif 000002
【特許請求の範囲】
【請求項１】
厚紙、防水紙又は合成樹脂シートを扇形状に形成し、該扇形の中心部から円弧部にかけて扇形を４枚に折曲するように中心部から放射状に折畳み線を設け、扇型部両端４と１０を重ね固着し、折り畳み線に沿って２枚、４枚と重ねて折畳み可能とし、折曲外側部材に折りしろ７を設け、該扇形の外周に半円形部５を設け、該扇形の中心部に紐の通る切り欠け孔部６を設けたことを特徴とする折畳み式扇子、笠兼置物。
【請求項２】
扇形の中心角部に紐の通る切り欠け孔部を設けた請求項1の当該切り欠け孔部に紐が抜けないように紐に留具９を取り付けた紐８を通したことを特徴とする請求項１記載の折畳み式扇子、笠兼置物。
【発明の詳細な説明】
【技術分野】
【０００１】
本発明は、スポーツ観戦時に携帯し易く容易に形を変えられる扇子、笠兼置物に関するものである。
【背景技術】
【０００２】
従来の扇子兼帽子には、係合手段を用いたもので実用新案公開平５−５８１９がある。
【特許文献１】実用新案公開平５−５８１９号公報
【発明の開示】
【発明が解決しようとする課題】
【０００３】
これには、次のような欠点があった。係合手段を用いるため形状を変える場合手間が掛かり、帽子としては顎ひもが装着されておらず風に飛ばされ易い構造である。
【課題を解決するための手段】
【０００４】
上記欠点を解決するために、厚紙、防水紙又は合成樹脂シートを扇形状に形成し、該扇形の中心部から円弧部にかけて扇形を４枚に折曲するように中心部から放射状に折畳み線を設け、扇型部両端４と１０を重ね固着し、折り畳み線に沿って２枚、４枚と重ねて折畳み可能とし、折曲外側部材に折りしろ７を設け、該扇形の外周に半円形部５を設け、該扇形の中心部に紐の通る切り欠け孔部６を設けたことことにより、単品で扇子と笠の機能及び置物と飾り物としての機能を備えていることを主な特徴としている。
【発明の効果】
【０００５】
本発明は、扇型部両端を固着することにより用途に合わせた変形を何も取り外す事なくでき、折曲外側部材に折りしろを設けることにより４枚に重ねても歪みが発生することなく折り畳みでき、該扇形の外周に半円形部を設けることにより置いた時に点で支えることができるので置物として安定し、切り欠け孔部に通した紐は、笠として使用する時に顎ひもになり又吊り下げて飾り物として利用する時吊り紐として利用できる。笠と扇子、置物として兼用でき持ち運びが簡単であり、紐で吊し飾り物にもなり、用途が多く、軽く、コストが安価で経済的である。
【発明を実施するための最良の形態】
【０００６】
１  防水加工平板紙から、外形４カ所ハート形の全体形１を切断し取り出す。
２  折畳み部２、３、１１を設ける。
３  接着しろ４を端部１０に接着する。
４  切り欠け孔部６に紐８を通す。
【実施例】
【０００７】
図１は本考案の扇子、笠兼置物の展開図を示し、同図１において、１は本体で、この本体は防水紙又は合成樹脂シートの可曲性平板状部材を主材とし、その全体形状は、中心孔６と同心の外周縁５が形成されると共に、同中心孔６から同外周にかけて折畳み線２、３、１１を設けて、扇形端部には接着しろ４と接着部１０を設けて、折畳み線１１の両側に折りしろ７を設ける。
【０００８】
上記接着しろ４と接着部１０を固着することにより切り欠け孔６が生じ留具９を取り付けた紐８を通す事ができ、紐を顎ひもとしたとき下部より引いても留具９により抜けない。そして折畳み線３のみ山折りにすると２枚重ねの扇子となり、折畳み線２を谷折りにすると折畳み線３、１１は山折りとなり図３の４枚重ねの扇子となり、より小さくなる。図４は、４枚重ねの図３の半円形部５方向からの側面図であり、外側部材に折りしろ７を付けることにより内側部材との内輪差を補うことができ折り畳んでも歪みが生じない。
【０００９】
図５は、置物として置いた時の斜視図であり、床との接地点が半円形部５の先端４カ所になり安定する。また、中心孔６より移動できる内側の紐に当たる部分に結び目を付け留具９を引くと紐が結び目までの分引き出されて止まり、紐は吊り紐になる。
【００１０】
紐８は２本で、ストッパー具に通すことにより内側に当たる部分が４本となり、頭への装着時は左右の耳の前後にそれぞれ１本づつ掛けられ端を結べる。図２の様に半円形部５を広げ頭に乗せて笠として使用する。
【００１１】
上述したように本考案は、用途に合わせ単品で扇子、笠、置物、飾り物として４通りに形を変えて使用できる。尚、本考案は、スポーツ観戦時などに席を確保するための場所取り用としても利用できる。
【図面の簡単な説明】
【００１２】
【図１】本発明を示した展開図である。
【図２】本発明の接着しろを固着した平面図
【図３】本発明の４枚重ねにした状態を示す平面図
【図４】図３の側面図
【図５】本発明の置物の使用状態を示す斜視図
【図６】図５の平面図
【符号の説明】
【００１３】
１  扇全体形
２  谷折り折畳み線
３  山折り折畳み線
４  接着しろ
５  半円部         
６  切り欠け孔部 
７  折りしろ           
８  紐   
９  留具
１０端部
１１山折り折畳み線              
【図１】
2006055548.tif 000003
【図２】
2006055548.tif 000004
【図３】
2006055548.tif 000005
【図４】
2006055548.tif 000006
【図５】
2006055548.tif 000007
【図６】
2006055548.tif 000008
(57)【要約】【課題】  筆の毛先や毛束に光重合型樹脂組成物が付着したまま放置されても、毛先や毛束に残存した光重合型樹脂組成物が重合し難い歯科用小筆であって、クロロホルムやアセトン等やそれらを主成分とする市販の有機溶剤系の筆クリーナーを利用して毛先や毛束内で硬化した樹脂を溶解して除去する必要が殆どない優れた歯科用小筆を提供する。【解決手段】  毛部が黄色に着色され、毛先や毛束に残存した光重合型樹脂組成物が重合し難いことを特徴とする歯科用小筆とする。【選択図】  なし【特許請求の範囲】
【請求項１】
毛部が黄色に着色され、毛先や毛束に残存した光重合型樹脂組成物が重合し難いことを特徴とする歯科用小筆。
【発明の詳細な説明】
【技術分野】
【０００１】
本発明は、歯科で使用される光重合型樹脂組成物を使用する際に用いられる歯科用小筆に関するものである。
【背景技術】
【０００２】
現在、歯科治療において、義歯床用レジンやコンポジットレジン等の歯科用重合性樹脂組成物は操作性、審美性、強度に優れる事から、広く使用されるに至っている。特に、可視光によって重合する光重合型樹脂組成物は、生体に対して安全に光重合型樹脂組成物を重合することができる上、任意のタイミングで硬化させることが可能な操作性や硬化物の強度が高い等が評価され歯科治療分野で最も広く使用されている（例えば、特許文献１参照。）。
【０００３】
光重合型樹脂組成物は、重合可能な単量体と光重合開始剤を含み、光を照射すると光重合開始剤が光を吸収して活性化し、ラジカル分子や水素イオン等の物質が生成され単量体の重合反応が開始される。歯科で用いられる光重合型樹脂組成物に含まれる光重合開始剤としてはカンファーキノン等の光波長域が400nm〜520nmまでの可視光に感応する物質が主に用いられている。
【０００４】
歯科で用いられる光重合型樹脂組成物としては、硬質レジンのオペーク材等ペースト状のものや、エアーバリヤー材や表面滑沢材等液状から成るものがあり、これらを歯科用補綴物の適用箇所に塗布する際には筆が用いられることがある（例えば、非特許文献１参照。）。このとき、使用後の筆から光重合型樹脂組成物を単に布等で拭き取っただけでは筆の毛部内部には光重合型樹脂組成物が残存したままなので、そのまま環境光下に放置してしまうと光重合型樹脂組成物が硬化して毛先や毛束が固着してしまい、次に筆を使用する際に非常に扱い難くなってしまうという問題があった。更に筆への残存量が多かったり長時間放置して重合が進んでしまうと筆から除去することは非常に困難であった。
【０００５】
そこで、クロロホルムやアセトン等やそれらを主成分とする市販の有機溶剤系の筆クリーナーを利用して毛先や毛束内で硬化した樹脂を溶解して除去する方法が行われている。しかし、強力な有機溶剤は環境や人体に悪いばかりでなく、これらを用いると毛束を筆の柄に固定している接着剤をも溶解されてしまい筆の柄から毛束が脱落し再使用できなくなるという虞もあった。
【０００６】
【特許文献１】特開昭４８−４９８７５号公報
【非特許文献１】坪田明史、他４名，「『アイサイト』を応用した前装補綴装置」,日本歯科評論  別冊2003，p.95-98
【発明の開示】
【発明が解決しようとする課題】
【０００７】
本発明は、筆の毛先や毛束に光重合型樹脂組成物が付着したまま放置されても、毛先や毛束に残存した光重合型樹脂組成物が重合し難い歯科用小筆であって、有機溶媒を用いる必要が殆どない優れた歯科用小筆を提供することを課題とする。
【課題を解決するための手段】
【０００８】
本発明者らは前記課題を解決するために鋭意検討した結果、筆の毛部に、光重合開始剤であるカンファーキノン等の励起光波長域である400nm〜520nmの光を吸収してしまう効果を与えると前記課題を解決できることを見いだし本発明を完成した。
【０００９】
即ち本発明は、毛部が黄色に着色され、毛先や毛束に残存した光重合型樹脂組成物が重合し難いことを特徴とする歯科用小筆である。
【発明の効果】
【００１０】
本発明に係る歯科用小筆は、毛先が黄色いため、歯科で用いられる光重合型樹脂組成物に含まれる光重合開始剤であるカンファーキノン等の励起光波長域である400nm〜520nmの光が吸収されるので毛先や毛束に残存した光重合型樹脂組成物が硬化し難く、筆の毛先や毛束に光重合型樹脂組成物が付着したまま長時間放置されても、毛先や毛束の光重合型樹脂組成物が重合して固着してしまうことが起こり難い。そのため次回の使用時にも通常の使用感を維持することができるのである。
【発明を実施するための最良の形態】
【００１１】
本発明に係る歯科用小筆の毛部の材質及び形状は、歯科で通常用いられるものであれば特に限定されず使用することができる。例えば毛材としては各種獣毛、またはナイロン 、ポリブチレンテレフタレート，ポリプロピレン等の化学合成繊維を用いることができる。また、本発明においては毛部の材質が光不透過性であると毛束の内部に光が入り難いのでより高い効果を望める。また、励起光波長域である波長400nm〜520nmの光を吸収する効果があるので毛部の材質が透明であっても十分にその効果を得ることができる。
【００１２】
本発明に於いて毛部を着色する黄色は、光重合開始剤であるカンファーキノン等の励起光波長域である波長400nm〜520nmの光を吸収する効果を筆の毛部に与えるために選択された色であり、波長400nm〜520nmの所謂青色に対する補色関係にある色である。従って、波長400nm〜520nmの光を吸収する効果を有している黄色であれば詳細は特に限定はされない。
【００１３】
本発明に係る歯科用小筆の毛部を黄色に着色する手段としては、黄色い顔料を練りこんだ化学合成毛を用いる方法や黄色い染料で染める方法等が自由に利用できる。このとき、光重合型樹脂組成物と反応して変色や脱色が生じないこと、及び、光重合型樹脂組成物そのものの物性に影響を与えないことは必要である。
(57)【要約】【課題】腕章には基本的に品物を収納する機能が無く、また、従来品物を収納する鞄やポーチ等では品物を探す、又は、出し入れする際煩わしさが伴い不便であった。【解決手段】腕章の表面と品物の表面にマジックテープを設け、これを貼り合わせることにより腕章に収納力を持たせ上記課題を解決した。  内部にアルミ線を張り巡らせることにより、どのような体型の人にも簡単に装着時の密着感を向上させることができるようにした。【選択図】図１
2006055599.tif 000002
【特許請求の範囲】
【請求項１】
腕章において、表面にマジックテープ凹面（又は凸面）を設け、これにマジックテープ凸面（又は凹面）を貼った品物を貼り付けることによって品物の収納力を持つことを特徴とする腕章。
【請求項２】
前記腕章は、内部にアルミ線を張り巡らせたことを特徴とする請求項１記載の腕章。
【発明の詳細な説明】
【技術分野】
【０００１】  この発明は、腕章の形状に関する。
【背景技術】
【０００２】  従来の腕章は、服の腕に巻いたり付けたりして、その人間の役目を明示するための記章、目印とするしるしとして使用されてきた。
また、従来品物を収納し、持ち運ぶためには鞄やポーチ等が使われてきた。
【発明の開示】
【発明が解決しようとする課題】
【０００３】  鞄やポーチ等は、必要とする品物を見つけ出すために時間を要し、また、頻繁に品物を出し入れする場合煩わしさが伴い不便であった。
そこで、この発明は腕章の本来の機能である記章、目印としての機能を保ちつつ、鞄、ポーチ等従来の収納用品の持つ品物を出し入れする際の煩わしさを解消する機能を腕章に持たせることを課題とする。
【課題を解決するための手段】
【０００４】  以上の課題を解決するために、第一発明は、腕章表面にマジックテープ凹面（又は凸面）を設け、これにマジックテープ凸面（又は凹面）を貼った品物を貼り付けることによって品物の収納力を持つことを特徴とする腕章である。
また、第二発明は、腕章内部にアルミ線を張り巡らせたことを特徴とする腕章である。
【発明の効果】
【０００５】  第一発明によれば、あらかじめ品物にマジックテープを貼っておき、これを腕章表面のマジックテープに貼り付けることによって、腕章に品物の収納力を持たせることができ、また、腕章は体の表面に身につける物であるから、従来の収納用品である鞄やポーチ等における品物を探す、又は、出し入れする際の煩わしさを省く効果がある。
第二発明によれば、どのような体型の人でも簡単に腕章を装着することができ、かつ、装着時の密着感を向上させる効果がある。
【発明を実施するための最良の形態】
【０００６】  この発明の一実施形態を、図１に示す。
腕章本体１はナイロン製であり、この腕章本体１の表面には、マジックテープ凹面３を設け、裏面には滑り止めのためのゴム製皮５が設けられている。
腕章内部にはアルミ線２を張り巡らしている。
装着用ベルト６はナイロン製であり、表面にマジックテープ凸面が設けられている。【０００７】「実施形態の効果」
この実施形態の効果を図２に示す。
この実施形態によれば、腕章本体の表面マジックテープ凹面に品物のマジックテープ凸面７を貼り合わせることにより腕章に品物の収納機能を持たせることができる。
収納する品物の例示としては、筆記用具８、懐中電灯９等があげられる。
腕章の裏面をゴム製皮５とすることにより滑りにくく、また、腕章の内部にアルミ線２を入れることによってどのような体型の人でも簡単に装着することができ、かつ、装着時の密着感を向上させることができる。【０００８】「他の実施形態」
図１の実施形態では、腕章本体１の表面をマジックテープの凹面３としているが、腕章表面を凸面、品物に設けたマジックテープ７及び装着用のベルト６表面を凹面としても良い。
【図面の簡単な説明】
【０００９】
【図１】この発明の一実施形態を示す斜視図である。
【図２】この発明の一実施形態の効果を示す斜視図である。
【符号の説明】
【００１０】１  腕章本体
２  内部アルミ線
３  マジックテープ凹面
４  マジックテープ凸面
５  滑り止めゴム皮
６  装着用ベルト
７  品物に設けたマジックテープ凸面
８  筆記用具
９  懐中電灯
【図１】
2006055599.tif 000003
【図２】
2006055599.tif 000004
(57)【要約】【課題】乾燥中の洗濯物の下部にたまる傾向のある水分を、洗濯物から速やかに除去し、乾燥に要する時間を短縮する。【解決手段】洗濯物中の広範囲に分散している水分を一点に集め、その水分を水滴として滴下し除去する目的で、乾燥しようとしている洗濯物の下端にその機能を有する器具を取り付ける。これにより、洗濯物中の水分を迅速に取り除き、洗濯物の乾燥を促進する。【選択図】「図２」
2006055594.tif 000002
【特許請求の範囲】
【請求項１】
洗濯物の乾燥に要する時間を短縮する目的で、洗濯物に残る水分を洗濯物以外の一点に誘導し、水滴として除去するための洗濯物乾燥用器具
【請求項２】
乾燥しようとしている洗濯物の下端部に取り付け、誘導した水分が少量でも水滴として滴下させることが出来るように、滴下させるための先端部が細くなっていることを特徴とする。
【発明の詳細な説明】
【技術分野】
【０００１】洗濯物の乾燥に要する時間を短縮する技術に関する。
【背景技術】
【０００２】図１を使用してその背景を説明する。
通常、乾燥しようとしている洗濯物１は物干し竿３等に通されて干される。このとき、洗濯物に残った水分は、自身の重みで下部４に集まる傾向がある。しかし、下部に集まった水分も、その衣類の吸水能力よりも少ない量であれば、水滴となって落下する事なしに４の如く、単に下部が上部よりも湿った状態となっているだけで、逆により乾燥の進行している上部に毛細管現象によって水分が供給されるため、洗濯物の乾燥の進み具合を遅らせていた。
【発明の開示】
【発明が解決しようとする課題】
【０００３】乾燥中の洗濯物の下部にたまる傾向のある水分を、洗濯物から速やかに除去し、乾燥に要する時間を短縮する。
【課題を解決するための手段】
【０００４】洗濯物中の広範囲に分散している水分を一点に集め、その水分を水滴として滴下し除去する目的で、乾燥しようとしている洗濯物の下端にその機能を有する器具を取り付ける。これにより、洗濯物中の水分を迅速に取り除き、洗濯物の乾燥を促進する。
【発明の効果】
【０００５】具体的には、図２に示した“水滴落とし”を乾燥しようとしている洗濯物の下端に図３の如く取り付ける。この器具には、衣類に接触する部分に吸湿性に富んだ材質の導水片が取り付けられており、洗濯物の水分はこれを伝って、導水片の最下端部分に集められる。導水片の最下端部分は鋭利な形状をしており、このため、集まってきた水分はその部分の保水能力を超え、水滴となる。この水滴は一定以上の大きさまで成長すると、先端部分から落下する。このように、洗濯物中の水分を一箇所に集めて、水滴として落下させることを繰り返すことによって、水分を除去し、乾燥までに必要な時間を大幅に短縮することが出来る。
【発明を実施するための最良の形態】
【０００６】図２を用いてその形態を説明する。本発明の“水滴落とし”は洗濯物に簡単に取り付け易いように、図２−１の如く洗濯バサミに類似した形状となっている。
使用時に洗濯物と接触する部分には導水片７が取り付けられている。図２−２はこの状態を示した物で、図２−１中の６の部品をＡ方向から見た図である。導水片７は吸水性に優れた布や樹脂等で作られ、その先端部分は８の如く、導いてきた水分が水滴になって落下しやすい様に、絞り込まれてとがった形状をしている。
【実施例】
【０００７】図３の９の如く、本発明の水滴落としを洗濯物に取り付けると、洗濯物の中に吸収されている水分は導水片７に吸収され、その先端部分から１０の如く水滴となって落下する。
【産業上の利用可能性】
【０００８】１；遠心式の脱水機を強くかけることが出来ないために洗濯物の中に多量の水分が残ったままの状態で乾燥せざるを得ないニット製品や毛布、タオル等には、本発明はきわめて有効で、乾燥時間の大幅な短縮が実現できる。
２；また、ガスや電気式の衣類乾燥機を使用する場合においても、あらかじめ本発明の“水滴落とし”を使用して水分を十分に除去しておけば、乾燥時間の短縮が実現でき、エネルギーの節約となる。
３；一般に水分を飛ばすために脱水機を使用しているが、本発明を使用する場合は、従来よりも軽度の脱水を行うだけで十分となり、エネルギーの節約とともに、衣類の傷みも軽減できる。
【図面の簡単な説明】
【０００９】
【図１】「洗濯物を普通に干した状態」
【図２】「本発明の水滴落とし」  図２−１は正面図  図２−２は水滴落としの導水片の付属したパーツをＡ方向から見た図  図２−３は２−１に有る水滴落としをＢ方向から見た図
【図３】「水滴落としの使用例」
【符号の説明】
【００１０】１は洗濯物
２は洗濯物の上部
３は物干竿
４は洗濯物の下部に水分がたまっている状態
５は本発明の水滴落としの導水片の無い側
６は本発明の水滴落としの導水片の有る側
７は導水片
８は導水片の先端部分
９は本発明の水滴落としを洗濯物に取り付けたところ
１０は落下する水滴
【図１】
2006055594.tif 000003
【図２】
2006055594.tif 000004
【図３】
2006055594.tif 000005
(57)【要約】【課題】  従来のスリッパ・履物には、体のゆがみを矯正し美しいプロポーションと体のゆがみからくる様々なトラブル・健康改善に効果が期待される健康用具及び美容用具がなかった。【解決手段】履物の底裏面縦長方向に段差を付ける事により体の重心が補整され骨のゆがみを矯正し、日常生活から自然と美しく均整のとれた体になる。又、体のゆがみや運動不足からくる、むくみ・肥満・セルライトの改善に効果が期待される。更に、底裏面のため他人に気付かれにくい。又、個人差・目的・段階に対応して底裏面突起物の位置・幅・長さ・高さ・角度・向きや底表面突起物の位置を調節する事で重心の位置を換えオーダーメードできる。【選択図】  図１
2006055600.tif 000002
【特許請求の範囲】
【請求項１】
履物の底裏面中央に高く段差を付け、その突起物は縦方向中央にあり図１−２ａ、体の重心が補整され身体の矯正・美容に効果がある。
【請求項２】
履物の底裏面中央に高く段差を付け、その突起物は縦方向中央と前方にある事により図２−２ｂ、バランス感覚が養われると共に運動不足が解決し健康維持に繋がる、又ダイエット効果もある。
【請求項３】
履物の底裏面中央のため、外観は美しく他人に気付かれにくい。
【請求項４】
個人差・目的・段階に対応して底裏面突起物図５−２の位置・幅・長さ、図４−２の高さ・角度・向きを調節する事で重心の位置を換えオーダーメードできる。
【請求項５】
個人差・目的・段階に対応して底表面突起物図６−４の位置を調節する事で重心の位置を換えオーダーメードできる。
【発明の詳細な説明】
【技術分野】
【０００１】  本発明は、スリッパ、サンダル、靴などの美容・健康面を考慮された履物。又、個人差・目的・段階に対応してオーダーメードできる履物。
【背景技術】
【０００２】  従来のスリッパ・履物には、底裏面を逆三角形状に傾斜し足の筋肉強化を施したものがある（例えば、特許文献１参照。）。
又、底表面横に段差を設けたものもある（例えば、特許文献２参照。）。
【特許文献１】特開２０００−２８７７０３号    公報
【特許文献２】特開平０８−１５０００１号      公報
【発明の開示】
【発明が解決しようとする課題】
【０００３】    しかし、バランス効果が考慮されていないためゆがみが改善されていない。
又、他人から矯正・ダイエットをしていることがわかる。更に、個人差・目的・段階に適応できないものであった。【０００４】  本発明は、このような従来の構成が有していた問題を解決しようとするものであり、体のゆがみを矯正し美しいプロポーションと体のゆがみからくる様々なトラブル解消・健康改善に効果が実現することを目的とするものである。
【課題を解決するための手段】
【０００５】  そして、本発明は上記目的を達成するために履物の底裏面中央に高く段差を付け、その突起物は縦方向中央に設けたものである。【０００６】  更に、履物の底裏面のため他人から上記目的を達成しようとしている事が気付かれないようにすることが出来る。【０００７】  しかし、上記の内容でも個人差・目的・段階に対応できなければ適切とは言えず、逆効果である。本発明は、それぞれ調節できることによって、効果を発揮する。
【発明の効果】
【０００８】  上述したように本発明は、体のゆがみを矯正し美しいプロポーションと体のゆがみからくる様々なトラブル解消・健康改善に効果がある履物を提供できる。
【発明を実施するための最良の形態】
【０００９】  履物の底裏面中央に高く段差を付け、その突起物は縦方向中央にある事により図１−２ａ、体の重心が補整され、身体の内側、外側の筋肉を刺激し骨盤・股関節を正しい位置に矯正するストレッチ運動か容易である。Ｏ脚・Ｘ脚の予防と改善に役立つ。【００１０】  履物の底面中央に高く段差を付け、その突起物は縦方向中央と前方にある事により図２−２ｂ、体の重心が補整され、身体の前後が正しい位置に矯正され足指先の骨が強化される。外反母趾の予防と改善に役立つ。【００１１】  履物の底面中央に高く段差を付け、その突起物は縦方向中央図１−２ａや更に、前方にある事により図２−２ｂ、バランス感覚を養い、正しい姿勢、歩き方に矯正でき日常生活から自然と美しく均整のとれた体になる。【００１２】  体のゆがみを矯正し均整のとれた歩き方をすれば肩こり、腰痛がなくなり筋肉や関節を丈夫になる。【００１３】  正しい姿勢になると背筋が伸び、胸郭呼吸になる。胸郭呼吸ができると上半身が豊かになり、内臓も上垂して骨盤が狭まり、下半身がスマートになる。呼吸機能も高まる。【００１４】  生活様式の変化で和式から洋式になり、脚の屈伸運動が少なくなり筋肉の作用が低下し骨もゆがみが生じる。運動不足からくる骨のゆがみ・むくみ・肥満・セルライトをなくすため日常生活からストレッチ運動ができ、リンパ浮腫・血行の改善・疲労回復、代謝、セルライトの改善にも効果がある。【００１５】  図３−Ａで歩行する場合は、脚の内側外側のバランスをとりながらつま先で歩行するため肥満・セルライトが改善されダイエット効果が大きい。又、つま先の筋力が強くなると規則正しい歩き方になり疲労回復になる。【００１６】  図３−Ｂで静止し立ち仕事をしている場合は、ふくらはぎにあるはい腹筋の筋肉が伸びリンパ液を上半身に押し上げ，静脈内圧は下がりむくみをおこしにくくなる。更に、図３−Ａと図３−Ｂを交互に重心移動ストレッチを行うと血行・新陳代謝が良くなり若返りに効果が大きい。【００１７】  個人の身体のゆがみ度合いや改善経過段階に対応して底面突起物図５の位置２ｇ・幅２ｈ・長さ２ｉ、図４の高さ２ｃ２ｄ・角度２ｅ２ｆ・向き２ｅ２ｆを調節しながら無理なく、美しく健康になれる。図５−３のようにベルクロ（商標）又はマジックテープ（商標）などの面ファスナーやドットボタン、グリッパーなどで付け替える、両面テープ、糊などで調整する。【００１８】  個人の身体のゆがみ度合いや改善経過段階に対応して底表面突起物図６−４の位置を調節する事で重心の位置を換えオーダーメードできる。ピンなどで指を固定させる位置をかえて調整する。【００１９】  履物の底裏面中央のため、外観は美しく他人に気付かれにくい。
【図面の簡単な説明】
【００２０】
【図１】本発明の実施形態を示す前面図・側面図・底裏面図・斜視図である。
【図２】本発明の実施形態を示す前面図・側面図・底裏面図である。
【図３】図２の重心移動実施形態の前面図・側面図Ａ・側面図Ｂである。
【図４】底裏面突起物のオーダーメード調整例の前面図・側面図である。
【図５】底裏面突起物のオーダーメード調整例の底面図である。
【図６】底表面突起物のオーダーメード調整例の底面図・前面図である。
【符号の説明】
【００２１】１  基台底
２  幅細帯底
３  調整素材
４  指固定用ピン
【図１】
2006055600.tif 000003
【図２】
2006055600.tif 000004
【図３】
2006055600.tif 000005
【図４】
2006055600.tif 000006
【図５】
2006055600.tif 000007
【図６】
2006055600.tif 000008
(57)【要約】      （修正有）【課題】複数枚の刃を有する髭剃りのカートリッジにおいて、実際に髭をそった場合の剃り味を卓越したものとすることが可能な刃の配置を持った髭剃りカートリッジ形状を提供する。【解決手段】複数枚の刃を有する髭剃り用カートリッジに取り付けられているそれぞれの刃の傾斜角を変化させ、かつ刃の間隔を等間隔にしない構造とする。これにより各刃をそれそれの要求される役割に合わせて機能させることが可能になり、卓越した切れ味を実現することができる。【選択図】図１
2006055595.tif 000002
【特許請求の範囲】
【請求項１】
複数枚数の刃を有する髭剃り用のカートリッジに於いて、取り付けられているそれぞれのかみそりの刃の角度が平行になっていないことを特徴とする。
【請求項２】
複数枚数の刃を有する髭剃り用のカートリッジに於いて、取り付けられているそれぞれのかみそりの刃の間隔が等間隔になっていないことを特徴とする。
【発明の詳細な説明】
【技術分野】
【０００１】かみそりの刃を使用する髭剃りカートリッジの形状に関する。
【背景技術】
【０００２】髭剃り用のかみそりで、複数枚の刃が取り付けられているものは、それぞれの刃の役割は異なっているにもかかわらず、一般に各刃は同一の角度、および同一の間隔で取り付けられ、刃同士が平行になるようにセットされていたため、髭剃りの時の剃り味に満足が得られる物ではなかった。
【発明の開示】
【発明が解決しようとする課題】
【０００３】従来の３枚刃のかみそりを例にとって説明すると、１枚目の刃は皮膚から髭を引っ張りだす、２枚目の刃は髭を切断し、３枚目の刃は２枚目の刃が切断した髭の断端の形状を整える、という特徴的な役割が与えられている。そのため、１枚目の刃には髭に途中まで食い込み皮膚に埋まった部分を引っ張り出す、２枚目の刃は引っ張り出された髭を切りそろえるために一定の切れ味が持続する耐久性が、そして３枚目の刃は断端の形状を整えるために、最も鋭利な切れ味が求められている。
この様に、それぞれの刃には異なる役割があるにもかかわらず、取り付けられた刃の角度、およびその間隔はどれも同じで、それぞれの刃の役割にあわせた刃の配置になってはいなかった。このため、刃自身は十分鋭利であるにもかかわらず、実際に髭をそった場合の剃り味は、不完全なものとなっていた。
【課題を解決するための手段】
【０００４】具体的方法としては、各刃に要求される役割に合わせて、かみそりの刃の取り付け角度、及び刃と刃の間隔を最適化し、卓越した切れ味を実現する。
【発明の効果】
【０００５】それぞれの刃の配置は各刃の目的に特化出来るため、それらを組み合わせて形成された髭剃り用のカートリッジは従来のカートリッジに比較して、卓越した切れ味となる。これにより、従来は深ぞりしようとしても切れ味が不十分で、皮膚を傷つけたりする問題があったがこの点を、解消できる。
【発明を実施するための最良の形態】
【０００６】図１を用いてその形態を説明する。図１−１は３枚の刃を有する髭剃りの外形図である。かみそりの刃がセットされたカートリッジの断面は、通常図１−２の様になっており、３枚の刃は同一の角度そして同一の間隔で取り付けられている。
これに対して、本発明の刃は図１−３の様に、それぞれの刃の取り付け角度および、間隔が異なっている。
このことにより、各刃が要求される目的に対して、最適な配置を取ることが出来、従来品に比較して卓越した剃り味を実現できる。
【実施例】
【０００７】図２を基に、本発明の実施例を説明する。皮膚３の表面に伸びてきたひげ２の部分をかみそりのカートリッジが図２−１の如く通過しようとすると、
まず、カートリッジの外枠の部分が図２−２の様に髭にあたり、図２−３の様に立ち気味にセットされている１枚目の刃が髭に途中まで食い込みながら、皮膚から髭を引っ張り出し、次いで、髭を切断するのに最適な角度で取り付けられている２枚目の刃が、図２−４の様に髭を切断する。１枚目の刃で引っ張り出された状態で２枚目の刃で切断された髭の断端はこの段階では斜めになっているが、この部分をそぎ落とす様に３枚目の刃が図２−５の如く通過する。３枚目の刃はこのそぎ落としのために、２枚目の刃よりも寝かされたて取り付けられており、かつ２枚目と３枚目との刃の間隔は、１−２枚目のそれよりも狭くなっている。
【産業上の利用可能性】
【０００８】深ぞりするには、従来は何度も同じ箇所をかみそりを通過させていたが、本発明により、卓越した剃り味が実現できるため、その必要が無くなり、かみそり負けなどの皮膚へのダメージを軽減することが出来る。
このため、皮膚の弱い女性向けの無駄毛除去用等にも利用できる。
【図面の簡単な説明】
【０００９】
【図１】  「髭剃りの刃の角度」  図１−１は髭剃りの外形図  図１−２は従来の髭剃りの刃の配置の断面図  図１−３は本発明の髭剃りの刃の配置の断面図
【図２】  「本発明による髭剃りの進行状況」  図２−１は髭を剃ろうとしているところ  図２−２はカートリッジが髭まできたところ  図２−３は１枚目の刃が髭を皮膚から引っ張り出しているところ  図２−４は２枚目の刃が髭を切断したところ  図２−５は３枚目の刃が斜めになっている髭の断端を更に切断して整えているところ
【符号の説明】
【００１０】  １は本発明の髭剃りのカートリッジ
２は皮膚から生えている髭
３は皮膚
ａ−ａ’は従来の髭剃りの３枚目の刃の設置角度
ｂ−ｂ’は従来の髭剃りの２目の刃の設置角度
ｃ−ｃ’は従来の髭剃りの１枚目の刃の設置角度
ｄ−ｄ’は本発明の髭剃りの３枚目の刃の設置角度
ｅ−ｅ’は本発明の髭剃りの２枚目の刃の設置角度
ｆ−ｆ’は本発明の髭剃りの１枚目の刃の設置角度
【図１】
2006055595.tif 000003
【図２】
2006055595.tif 000004
(57)【要約】【課題】  従来のタンスは積まれた洋服の下方の服を取り出す時、着たい洋服を探す時、洗濯物を下方に入れたい時など、上方の洋服は綺麗にたたんであったのにぐちゃぐちゃになってしまい、たたみ直しなど手間がかかっていた。【解決手段】  引き出し前面の底に蝶番、両側面に窓鍵をつける。側面の窓鍵をはずす事により、タンスの引き出し前面を手前に倒す事ができる。倒れた前面に洋服を置く事もでき、見やすく綺麗に収納・簡単に取り出せる整理整頓された洋服ダンスを提供できる。【選択図】図２
2006055598.tif 000002
【特許請求の範囲】
【請求項１】
タンスの引き出しの両側面に窓鍵をつけ、前面底に蝶番をつける。側面の窓鍵をはずす事により、引き出し前面を手前に倒す事ができ見やすく綺麗に収納・簡単に洋服が取り出せ整理整頓できる洋服ダンス。
【発明の詳細な説明】
【技術分野】
【０００１】  本発明は、洋服を綺麗に収納・簡単に取り出せる整理整頓されたタンスに関する。
【発明の開示】
【発明が解決しようとする課題】
【０００２】  従来のタンスは積まれた洋服の下方の服を取り出す時、着たい洋服を探す時、洗濯物を下方に入れたい時など、上方の洋服は綺麗にたたんであったのにぐちゃぐちゃになってしまい、たたみ直しなど手間がかかっていた。
【課題を解決するための手段】
【０００３】  そして、本発明は上記の目的を達成するために、タンスの引き出しの両側面に窓鍵をつけ、前面底に蝶番をつける。側面の窓鍵をはずす事により、引き出し前面を手前に倒す事ができる。
【発明の効果】
【０００４】    上述したように本発明のタンスは引き出し前面を手前に倒せる事により見やすく、倒した部分に洋服を置くこともでき、綺麗に収納・簡単に取り出せる整理整頓された洋服ダンスを提供できる。
【発明を実施するための最良の形態】
【０００５】    以下、本発明の実施の形態を図１・図２に基づいて説明する。【０００６】    図１は全体の外観図である。【０００７】    図２は本発明の実施形態を示す引き出しの部分図である。両側面につけた窓鍵をはずすと、前面の底に蝶番がついている為、引き出し前面は９０度手前に倒れる。元に戻すときは、倒れた引き出し前面をおこし、窓鍵を掛ければ簡単に元の形態に戻すことができる。
【図面の簡単な説明】
【０００８】
【図１】  全体的にみた外観図
【図２】  本発明の実施形態を示す引き出しの部分図
【符号の説明】
【０００９】  ａ  引き出し      ｂ  窓鍵      ｃ  受け金具      ｄ  蝶番
【図１】
2006055598.tif 000003
【図２】
2006055598.tif 000004